(57)【要約】      （修正有）【課題】温泉の浴用の用途に供された温泉水は、毛髪、かみそり、石鹸成分、人体の油成分が含まれていて非常に汚く、場合によればレジオネラ属菌等もあり、感染症の恐れもある。そのために、これらを処理することに高額費用がかかると考えるためや、場合によっては、強酸性成分や多量の様々な成分のために一般河川に放流することも困難である温泉もあるため温泉の排水は、問題が多く大きな課題となっていた。【解決手段】低額費用で不純物の除去を行い、磁気式水処理装置によりカルシウムによるスケ−ルの防除及び鉄分イオン等の温泉水再利用に支障ある成分を除去し、石鹸等の不純物を最新の技術で浄化することにより、温泉浴槽排水時の温度を保ったまま温泉水が再利用でき、地域資源活用の地産地消として自然熱エネルギ−利用し、小規模発電及び農産物の温室栽培ができる。【選択図】図１
2013134008.tif 000002
【特許請求の範囲】
【請求項１】
温泉の浴用用途の廃水温熱を用いた小規模発電並びに温室内の果物栽培及び農産
物栽培の熱利用方法とその温度管理をパソコン操作により行うことを特徴とした温
泉排水の温熱利用方法。
【請求項２】
温泉の浴用に供した温泉水の不純物を除去するための除去装置を通過し、浄化槽
において低コストで浄化した温泉水は保温された貯湯槽に蓄えるることを特徴とす
る請求項１記載の温泉廃水の温熱利用方法。
【請求項３】
蓄えられた温泉水は、補助熱源としてＲＤＦ（固形燃料）及び籾殻を燃料で専用
イラへ自動供給することで燃焼し、高熱エネルギ−を得て水蒸気発生により、発電
を行う。また、補助温水ボイラにより不測の事態には温水を作り、ロ−ドヒ−テイ
ング並びに駐車場及びハウス栽培農業に熱エネルギ−利用することを特徴とする請
求項１及び２記載の温泉廃水の温熱利用方法。
【請求項４】
蓄えられた温泉水は、その排水温度で温室に送られ、放熱器により１：１で放熱
され、温度センサ−とパソコンによりその温室の温度を保つ管理を行うことができ、
農業栽培に自然熱エネルギ−利用することを特徴とする請求項１〜３記載の温泉廃水の温熱利用方法。
【請求項５】
蓄えられた温泉水は、浴槽から排水される時は約３８℃程度の温度があり、不純物
除去装置、浄化槽、貯湯タンクはそれぞれ現場発砲ウレタンで完全な保温がなされる
ものであり貯湯槽内部の温泉水温度は、約３５℃程度が保たれ、満足できる自然熱エ
ネルギ−として利用することを特徴とする請求項１〜４記載の温泉廃水の温越利用方
法。
【発明の詳細な説明】
【技術分野】
【０００１】
本発明は、温泉の浴用用途の温泉水廃水温熱利用による小規模発電及び農作物温室
栽培における自然熱ネルギ−の利用方法に関するものである。
【背景技術】
【０００２】
従来より、温泉の浴用に利用した温泉水は排水路へ廃棄されてきたが、その背景に
は、新しい温泉水は、飲用や洗い物は古くから用いられてきたものの、温泉水の再利
用を考えることが少なかった。  何故ならば、温泉の浴用の廃水はかなりの汚れと毛
髪や不純物が混入し、汚い、のイメ−ジが強く、浄化に多額の費用がかかると考え、
廃棄温泉水の再利用は少なかったが、天与の恵みとして特定の地域のみの与えられた
もの故に、自然熱ネルギ−の温熱利用を大切に取り扱うことが重要である。
【０００３】
温泉の浴用用途の場合、浴槽なお温水温度は、概ね４０℃から４２℃程度は必ずあ
り、仮に排水口から排水されてもその温度は、地中にある限り暫くは３５℃を下回る
ことはなく、一定用途の温熱利用はされてきたが、その利用評価はあまり大きくなか
った実状もある。
【０００４】
本発明はそこで、廃棄された間伐材及び有価物可物を燃料成分原料として、ＲＤＦ
（固形燃料）の製造方法及び籾殻の燃焼によるその燃焼熱エネルギ−利用方法の画期
的な用途に着目した。
【０００５】
本発明の廃棄水温泉水は、不純物除去及び浄化することにより、従来の温泉再利用
が困難な考えを除去し、自然熱エネルギ−を得る工夫したことで温泉排水温熱の価値
を高める研究を行った。（特許参考文献参照を下記に示す。）
【先行技術文献】
【特許文献】
【０００６】
【特許文献１】特開２０１１−２１４８２４公報
【特許文献１】特開２００９−２５７７３７公報
【特許文献２】特開２００８−０９５６７３公報
【特許文献３】特開２００７−０９３０６１公報
【特許文献３】特開２００２−０２２３１１公報
【特許文献４】特開平０９−０１４７５０公報
【特許文献５】特開平０８−００４４６９公報
【発明の概要】
【発明が解決しようとする課題】
【０００７】
温泉の浴用の用途に供した温泉水は、毛髪、かみそり、石鹸成分、人体の油成分を
が含まれていて非常に汚く、場合によればレジオネラ属菌等もあり、感染症の恐れも
ある。  そのために、これらを処理することに高額費用がかかると考えた。  場合に
よっては、強酸性成分や多量の様々な温泉成分のために一般河川に放流することも困
難である温泉もあるため温泉の排水は、問題が多く大きな課題となっていた。
【課題を解決するための手段】
【０００８】
本発明は、前記課題を解決するため、請求項２に記載のとおり、低額費用で不純物
の除去を行い、磁気式水処理装置によりカルシウムによるスケ−ルの防除及び鉄分イ
オン等の温泉水再利用に支障ある成分を除去し、石鹸等の不純物を最新の技術で浄化
することにより、温泉浴槽排水時の温度を保ったまま廃棄温泉水が再利用でき、地域
資源活用の地産地消として自然熱エネルギ−利用し、小規模発電及び農産物の温室栽
培ができ前記の課題を解決することができる。
【発明の効果】
【０００９】
本発明の請求項1に記載する浴用温泉廃水は、ただ排水路へ廃棄する温熱を熱源と
して活用でき、社会環境問題を一気に解決することができ且つ、蓄えられた温熱は、
発電並びに、温室栽培農業及び道路の融雪等の目的に活用でき、加温の経費削減と地
域産業の雇用にも役立ち本発明の効果を得ることができる。
【図面の簡単な説明】
【００１０】
【図１】本発明の温泉廃水熱利用過程を示すブロック図である。
【発明を実施するための形態】
【００１１】
本発明の温泉廃水熱は、放置された山林整備間伐材、同枝材、里山整備事業の処分
材の雑木、同枝材を集積場において破砕機を移動し、破砕しチップ化することからな
る。
【００１２】
チップ化された木材は、石、砂をふるいにかけ除去しそれぞれのチップ専用のホッ
パ−に投入され一時貯蔵される。
【００１３】
チップ材のホッパ−に一次貯蔵された木材チップは、専用供給パイプ゜を通過し、自
動供給によりキル−ンに投入され含水率を一定に調整し、自動排出する。
【００１４】
ホッパ−で一次貯蔵されたチップは、投入パイプを経て成型機へ自動供給される。
【００１５】
籾殻は、乾燥したもので籾殻ホッパ−に投入され一次貯蔵される。
【００１６】
ホッパ−から排出したチップ材は、ＲＤＦ（固形燃）整形機により加温し、ＲＤＦ
（固形燃）に成型される。成型されたＲＤＦ（固形燃）の製品は、防湿袋に収納され
発送まで貯蔵庫に一次貯蔵される。
【００１７】
籾殻は、乾燥したもので籾殻ホッパ−に投入され一次貯蔵され投入パイプを経て籾
殻専用ボイラに自動供給され、８０℃〜１２０℃の温度により燃焼する。
【００１８】
ＲＤＦ（固形燃）の製品は、ホッパ−から燃焼炉に自動供給され燃焼し、温泉水貯
湯水タンクよりコイルに送り込まれた温泉水は、高熱処理を受け蒸気を発生させ、発
電させる蒸気系統と不足の事態を想定した補助加温の温水（４０℃以上）として温熱
利用する。
【００１９】
燃焼機関に起こり込まれたＲＤＦ（固形燃料）は、熱対流を起こしながら完全燃焼
し蒸気発生する系統と温水発生系統に分かれて次の熱利用に送られる。
【００２０】
燃焼機関は、熱対流を引き起こすため炉内側壁面に角度を設け、完全燃焼を図り、
燃焼不備が生じスラッジの発生を考慮し、炉内最下部にはスクリウコンベア−を設け
残渣と共に自動排除する。燃焼機関において発生する煙、並びにダイオキシン成分及
ＣＯ２を除去するため煙突の入り口で高熱により再燃焼させる
【００２１】
発電後の蒸気は、コンデンサ−を経て温水となりリタ−ンさせ貯湯タンクへ戻り再
び炉内部で蒸気となる繰り返しを行い温熱及び温泉水の熱の無駄を省く。
【００２２】
廃棄温水利用は、農業ハウス栽培及びロ−ドヒ−テイング、駐車場融雪にロ−ドヒ−
テイング及びハウス栽培農業に直接温熱利用し、その後は水路に放流する。
【実施例】
【００２３】
図1は、本温泉廃水温熱自然エネルギ−の焼熱利用の方法を示すブロック図であり、
浄化された温泉水は、専用ボイラにより蒸気エネルギ−と温水に分けて利用する。
【００２４】
本ＲＤＦ（固形燃料）燃焼により発生する蒸気は発電熱エネルギ−として利用し、
燃焼機関（ボイラ）の規模により発電規模を事由設計できる。また、温水の温熱利用
は、農業温室栽培並びに凍結、積雪地域のロ−ドヒ−テイング及び駐車の融雪に利用す
る。
【産業上の利用可能性】
【００２５】
本発明の請求項1から５に記載する温泉廃水は、その温熱を利用することにより、
放棄されている間伐材及び焼いて処理してきた籾殻の有効利用ができ、更に、燃焼残
渣である灰は田畑の肥料や融雪材となり、ここで発生する熱は自然熱エネルギ−の活
用により発電、温室栽培農業、道路の融雪等の目的に活用でき、地域雇用にも役立つ
ことができ産業上の利用可能性は充分にある。
【符号の説明】
【００２６】
１  男・女浴槽廃湯排水配管
２  バイパス配管
３  ヘアキッチャ−・不純物除去装置・雑排水浄化槽
４  浄化槽
５  温水バイパス管
６  分配器付き連結配管
７  温水貯湯・分配タンク
８  オ−バ−フロ−配管
９  ＰＨ調整装置
１０  連結配管
１１  発電用貯湯タンク
１２  連結配管
１３  ＲＤＦ専用ボイラ
１４  小規模発電機
１５  コンデンサ−
１６  温水リタ−ン配管
１７  籾殻専用ボイラ
１８  温室暖房温水回路
１９  コントロ−ラ−・端末部ンサ−
２０  新規温泉水貯湯タンク
２１  新規温泉水導入配管
２２  連結配管
２３  水耕栽培温水回路
【図１】
2013134008.tif 000003